(57)【特許請求の範囲】
【請求項１】
ケースのテープ出入口に設けられ、テープの巻き取り終了の際にテープ出入口に係止されるテープ先端係止片の衝突エネルギーを緩和する衝撃緩衝装置であって、該衝撃緩衝装置は、上部がテープの湾曲方向と同じ方向に湾曲形成された受止部材と、その後方に位置する略コの字型の緩衝部材とから構成されており、該緩衝部材の両自由端またはその付近が受止部材の適当な部位に連結され、かつ前記緩衝部材の後方に、少なくとも２つの自由端を有する第２緩衝部材が連結されており、そのそれぞれの自由端をテープの湾曲方向に離れて位置させてなる巻尺の衝撃緩衝装置。
【請求項２】
前記緩衝部材の中央部付近が幅広であることを特徴とする請求項１に記載の巻尺の衝撃緩衝装置。
【請求項３】
前記緩衝部材が略Ｕの字型であることを特徴とする請求項１の巻尺に記載の衝撃緩衝装置。
【請求項４】
前記第２緩衝部材が略Ｉの字型であり、その長手方向をテープの湾曲方向と同じ方向にして連結されていることを特徴とする請求項１に記載の巻尺の衝撃緩衝装置。
【請求項５】
前記第２緩衝部材が略Ｕの字型であり、その開口を後方に向けて連結されていることを特徴とする請求項１に記載の巻尺の衝撃緩衝装置。
【請求項６】
前記第２緩衝部材が略Ｖの字型であり、その開口を後方に向けて連結されていることを特徴とする請求項１に記載の巻尺の衝撃緩衝装置。
【請求項７】
前記緩衝部材と前記第２緩衝部材が、それぞれの部材のほぼ中央部で適当な部材を介してまたは直接に連結されていることを特徴とする請求項１に記載の巻尺の衝撃緩衝装置。
【請求項８】
前記第２緩衝部材の自由端またはその付近に、後方に延びる突起が形成されていることを特徴とする請求項１に記載の巻尺の衝撃緩衝装置。
【発明の詳細な説明】
【０００１】
【産業上の利用分野】
本発明は、テープをケース内に巻き取り収納可能な巻尺に関し、特にテープの巻き取り終了の際にテープ出入口に係止されるテープ先端係止片の衝突エネルギーを緩衝するテープ緩衝装置に関するものである。
【０００２】
【従来技術と問題点】
今日、巻尺の多くは、測定用のテープを自動的に巻き取る自動巻取式のものが広く用いられており、それは、巻胴部にテープを巻回すると共にそのテープを巻取り付勢するためのコイルバネが内装された回転ドラムと、その回転ドラムを収納するケースとから構成されている。
通常、テープはケース内に収納されているため、測定に際しては、ケースのテープ出入口に係止するテープの先端に設けられている係止片を指で引き、それに続いて引き出されたテープを適当に引き出して所望の測定が行われる。
【０００３】
そして、測定が終了してテープをケース内に収容する際は、テープ制動装置また手によって停止させられているテープの制動を解除することにより、テープはケース内の回転ドラムに内装されたコイルバネによって自動的にケース内に巻き取られ、テープの先端の係止片がテープ出入口に係止されることによってテープの巻き取りが終了する。
このとき、係止片は相当な速度でテープ出入口に衝突するため、そのテープ出入口には係止片の衝突エネルギーを緩和また吸収するための衝撃緩衝装置が設けられている場合が多い。
【０００４】
その衝撃緩衝装置においては、テープの巻き取り速度やテープの幅またテープの収納長さ等により種々の構造のものが開発されている。
しかし、従来の衝撃緩衝装置は、衝突エネルギーをより確実に緩和しようとすると装置本体が複雑な形状になったりまた装置が全体的に大きくなったり、さらには、ケースへの装着に時間が掛かるといった欠点があり、経済的また製造的にも問題であった。そして、衝撃緩衝装置は衝突エネルギーの強弱によって独自の形態に形成されていることが多かった。
【０００５】
【目的】
本発明は上述した問題点に鑑みてなされたもので、簡単な構造で係止片の衝突エネルギーを緩和することができ、また、第２の緩衝部材の追加によってより強い衝突エネルギーをも緩和することができる巻尺の衝撃緩衝装置を提供することを目的とするものである。
【０００６】
【問題を解決するための手段】
本発明の要旨とするところは、ケースのテープ出入口に設けられ、テープの巻き取り終了の際にテープ出入口に係止されるテープ先端係止片の衝突エネルギーを緩和する衝撃緩衝装置であって、該衝撃緩衝装置は、上部がテープの湾曲方向と同じ方向に湾曲形成された受止部材と、その後方に位置する略コの字型の緩衝部材とから構成されており、該緩衝部材の両自由端またはその付近が受止部材の適当な部位に連結されてなることを特徴とする巻尺の衝撃緩衝装置である。
【０００７】
本発明の巻尺の衝撃緩衝装置を詳しく説明すると、ケースとは、測定用のテープを収容する部材であり巻尺の本体でもある。
そのケースは、所望の形状に適宜形成された樹脂または金属等の素材から形成されており、そのケースの内壁には軸が立設され、その軸にメモリが印刷された測定用のテープを周囲に巻回した回転ドラムが軸支されている。
また、その回転ドラムの内部にはテープを巻き取るためのコイル状の巻き取りバネが設けられており、テープは巻き取り方向に付勢されている。
【０００８】
そのテープは、ケースの前壁下方に設けられているテープ出入口から出入りしており、また、テープの巻き取り終了の際にはテープ先端に有する係止片がテープ出入口に係止されることによって、テープのケース内への引き込まれが阻止される。
そして、係止片は相当な速度でテープ出入口に衝突するため、そのテープ出入口に係止片の衝突エネルギーを緩和する衝撃緩衝装置が設けられている。
【０００９】
衝撃緩衝装置は、テープ先端に有する係止片が係止される受止部材と、その受止部材の後方に位置して、衝突による衝撃を緩和するための略コの字型の緩衝部材から構成され、その緩衝部材の両自由端またはその付近が受止部材の適当な部位に連結されている。
その受止部材と緩衝部材の素材も特に限定するものではなく好適な素材を用いて形成すればよいが、望ましくは、受止部材と緩衝部材とを一体的に成型できるように適当な樹脂素材から形成するのがよい。
【００１０】
その受止部材は、部材上部をテープの湾曲方向と同じ方向そしてほぼ同一の湾曲形状で湾曲形成するのがよく、これによってテープ下面と受止部材上面との間隙が一定となり、ケース内への異物の進入を少なくできる。
また、前記湾曲とは、円周の曲率にほぼ同一の形状また略Ｖ字に近い形状の両方を指すものである。
そして、受止部材のテープ出入方向の厚みすなわち部材厚等の寸法も特に限定するものではなく、衝突エネルギーの強弱や係止片の大小等を考慮して好適な寸法を適宜選定すればよい。
【００１１】
また、緩衝部材は、適当に離間された２本の脚部のそれぞれの一端に、衝撃を緩和（吸収）するための衝撃緩衝部となるブリッジ部が連結された略コの字型とするのがよい。前記脚部の間隔は、ブリッジ部が曲がって衝突エネルギーを緩和できるように適当に離して設ければよく、具体的には、受止部材の横幅とほぼ同じ程度の間隔とするのがよい。また、脚部からブリッジ部に連結される部分が曲線になっている略Ｕの字型にしてもよい。
さらには、緩衝部材すなわちブリッジ部の中央部付近を他の部分より幅広にしてもよい。すなわち、テープの進退方向に広くすることである。そして、幅広とした部分は他のブリッジ部分と滑らかに接続可能にテーパーとしてもよい。その幅広部は複数形成してもよい。
【００１２】
その緩衝部材は、そのそれぞれの脚部の自由端を受止部材の適当な部位に連結して、受止部材の後方に位置させる。
その脚部の受止部材への連結においては、受止部材の背部すなわち受止部材の後面部に連結したり、また、受止部材の側面部や底面部に連結してもよい。
そして、脚部またブリッジ部の形状においても特に限定するものではなく、平面視また側面視において直線や略直線的に形成したり、また、所定の方向に適当に湾曲する形状にしてもよい。さらには、波み打ちする形状等にしてもよい。
緩衝部材すなわち脚部やブリッジ部の長さや肉厚等の寸法も特に限定するものではなく、適宜衝撃力に耐え且つ衝撃緩和に適するものにすればよい。
【００１３】
さらに、前述の緩衝部材の後方すなわち２本の脚部に支持されるブリッジ部の後方に第２緩衝部材を連結してもよく、その第２緩衝部材には少なくとも２つの自由端を設けて、そのそれぞれの自由端をテープの湾曲方向に離して位置させるようにするのがよい。また、少なくともその第２緩衝部材の衝撃緩衝部位が、前方の緩衝部材と所定の間隔を開けて位置できるようにするのがよい。すなわち、第２緩衝部材の衝撃緩衝部位が、衝撃緩和（衝撃吸収）のため適当に曲がった場合に前述の緩衝部材のブリッジ部に当たらない程度の間隔（寸法）であればよい。
【００１４】
そして、第２緩衝部材の形状も特に限定するものではないが、具体的な例としては、略Ｉの字型にして、その長手方向をテープの湾曲方向と同じ方向にして連結するのがよい。
また、前述の緩衝部材と第２緩衝部材との連結部位も特に限定するものではないが、望ましくは、それぞれの部材（緩衝部材／第２緩衝部材）のほぼ中央部で適当な部材を介してまたは直接に連結するのがよい。
【００１５】
また、第２緩衝部材の形状を略Ｕの字型にして、その開口（それぞれの自由端の間）を後方に向けて連結するのがよい。あるいは、第２緩衝部材の形状を略Ｖの字型にして、その開口（それぞれの自由端の間）を後方に向けて連結するのがよい。
そして、前述の緩衝部材と第２緩衝部材との連結部位も特に限定するものではないが、望ましくは、それぞれの部材（緩衝部材／第２緩衝部材）のほぼ中央部で適当な部材を介してまたは直接に連結するのがよい。
【００１６】
前述の第２緩衝部材の幅等の寸法も特に限定するものではなく、適宜衝撃力に耐え且つ衝撃緩和に適する寸法にすればよい。
さらに、前述の第２緩衝部材の自由端またはその付近に、後方に延びる突起を形成してもよい。その突起の突出長や肉厚等も特に限定するものではなく、適宜衝撃力に耐え且つ衝撃緩和に適するものにすればよい。
そして、略コの字型／略Ｉの字型／略Ｕの字型／略Ｖの字型の略とは、コ／Ｉ／Ｕ／Ｖの各字形が横方向や縦方向等に短くまたは長くなった状態を示すものである。すなわち、それらの字形の変形体を意味するものである。
【００１７】
そして、本衝撃緩衝装置をケースにセットする際、衝突エネルギーを効率よく緩衝させるため、緩衝部材が脚部とブリッジ部のみからなる略コの字型ものは、ブリッジ部のほぼ中央部をケースに係止させるのがよい。
また、ブリッジ部の後方に第２緩衝部材が設けられているものは、第２緩衝部材の自由端またはその付近をケースに係止させるのがよい。
さらには、第２緩衝部材の自由端またはその付近に、後方に延びる突起が形成されているものは、その突起の先端部をケースに係止させるのがよい。
しかして、第１緩衝部材／第２緩衝部材の所定の部位とケースとの係止においては、それらの緩衝部材の緩衝動作によって係止される部位は適当に変わる。
【００１８】
【作用】
本発明の巻尺の衝撃緩衝装置は以上のように構成されているので、受止部材の後方の緩衝部材が略コの字型の緩衝部材のみからなると共にその緩衝部材のほぼ中央部がケースに係止されているものは、テープがケース内に巻き取られて、テープの先端の係止片がテープ出入口に設けられている衝撃緩衝装置に衝突すると、その衝突によって受止部材はテープの巻き取り方向に後退し、それに伴い緩衝部材も後退する。また、その緩衝部材はケースの適当な部位と係止する中央部位を支点にしてその両側部分が後方に曲がる。これにより衝突エネルギーが緩和（吸収）される。
【００１９】
また、受止部材の後方の緩衝部材が略コの字型の緩衝部材からなると共にその緩衝部材のほぼ中央部の後方に第２緩衝部材が連結され、その第２緩衝部材の両自由端がケースに係止されているものは、ここで、受止部材の後方の緩衝部材を第１緩衝部材として説明する。テープがケース内に巻き取られて、テープの先端の係止片がテープ出入口に設けられている衝撃緩衝装置に衝突すると、その衝突によって受止部材はテープの巻き取り方向に後退し、それに伴い第１緩衝部材および第２緩衝部材も後退する。そして、第２緩衝部材はケースの適当な部位と係止する両自由端を支点にしてその内方部分が後方に曲がり、また、第１緩衝部材は第２緩衝部材と連結する中央部位を支点にしてその両側部分が後方に曲がる。これにより衝突エネルギーが緩和（吸収）される。
【００２０】
【実施例】
本発明の巻尺の衝撃緩衝装置を以下図面に従って説明すると、図１は、本発明に係わる衝撃緩衝装置の斜視図であり、１は衝撃緩衝装置で、２はテープ６３先端に有する係止片６６を受け止めるための受止部材、２１はテープの下面と対向する湾曲部である。
３はコの字型の第１緩衝部材で、３１は受止部材２と連結された脚部、３２は衝突エネルギーを緩和（吸収）する部位となるブリッジ部である。
衝撃緩衝装置は、ブリッジ部３２のほぼ中央部がケース６１の適当な部位に係止されてセットされる。
図２は、図１の衝撃緩衝装置の平面図である。図３は、ブリッジ中央部を幅広にした衝撃緩衝装置の斜視図である。
【００２１】
図４は、第２緩衝部材が設けられた衝撃緩衝装置の斜視図であり、１は衝撃緩衝装置で、２はテープ６３先端に有する係止片６６を受け止めるための受止部材、２１はテープの下面と対向する湾曲部である。
３はコの字型の第１緩衝部材で、３１は受止部材２と連結された脚部、３２は衝突エネルギーを緩和（吸収）する部位となるブリッジ部である。
４は連結部材で、第１緩衝部材３のブリッジ部３２と第２緩衝部材５とを連結するものである。勿論、衝撃緩衝装置１が一体成型によって形成された場合、連結部材４は見かけ上の部位となる。
５は略Ｉの字型に形成された第２緩衝部材で、５１は両端部に形成された後方へ突出する突起部である。
衝撃緩衝装置は、両突起部５１がケース６１の適当な部位に係止されてセットされる。
図５は、図４の衝撃緩衝装置の平面図である。
【００２２】
図６／図７は、他の形態の第２緩衝部材が設けられた衝撃緩衝装置の斜視図であり、図６は第２緩衝部材５を略Ｕの字型にしたものである。また、図７は第２緩衝部材５を略Ｖの字型にしたものである。
【００２３】
図８は、ケースに装着された衝撃緩衝装置の側面図であり、６は巻尺、６１は巻尺６のケース、６２はケース６１内に立設する軸６５に軸支されている回転ドラム、６３は回転ドラム６２に巻回されたテープ、６４は引き出されたテープ６３を巻き取るため回転ドラム６２内に収容された巻き取りバネである。６７はテープ６３が出入するテープ出入口、６６はテープ６３の先端に設けられている係止片である。そして、１がテープ出入口６７に装着された衝撃緩衝装置である。
【００２４】
図９は、ケースに装着された衝撃緩衝装置の平面図である。（ａ）図は、図１の衝撃緩衝装置であり、１は衝撃緩衝装置、２はテープ６３先端に有する係止片６６を受け止めるための受止部材、３はコの字型の第１緩衝部材で、３１は受止部材２と連結された脚部、３２は衝突エネルギーを緩和（吸収）する部位となるブリッジ部である。６８はブリッジ部３２のケース６１との係止部である。
（ｂ）図は、図４の衝撃緩衝装置であり、１は衝撃緩衝装置、２はテープ６３先端に有する係止片６６を受け止めるための受止部材、３はコの字型の第１緩衝部材で、３１は受止部材２と連結された脚部、３２は衝突エネルギーを緩和（吸収）する部位となるブリッジ部、４は連結部材、５は略Ｉの字型に形成された第２緩衝部材で、５１は両端部に形成された後方へ突出する突起部である。６９は突起５１の後方端部とケース６１との係止部である。
【００２５】
図１０は、衝撃緩衝装置の緩衝作動状態を示す平面図である。（ａ）図は、図１の衝撃緩衝装置であり、テープ６３先端の係止片６６がテープ出入口６７に設けられた衝撃緩衝装置１の受止部材２に衝突すると、その衝突によって受止部材２はテープ６３の巻き取り方向に後退し、それに伴い第１緩衝部材３も後退する。そして、第１緩衝部材３のブリッジ部３２はケース６１との係止部６８を支点にしてその両側部分が後方に曲がる。これにより衝突エネルギーが緩和（吸収）される。
（ｂ）図は、図４の衝撃緩衝装置であり、テープ６３先端の係止片６６がテープ出入口６７に設けられた衝撃緩衝装置１に衝突すると、その衝突によって受止部材２はテープ６３の巻き取り方向に後退し、それに伴い第１緩衝部材３および第２緩衝部材５も後退する。そして、第２緩衝部材５はケース６１との係止部６９を支点にしてその内方部分が後方に曲がり、また、第１緩衝部材３のブリッジ部３２は第２緩衝部材５と連結する部位（連結部材４）を支点にしてその両側部分が後方に曲がる。これにより衝突エネルギーが緩和（吸収）される。
【００２６】
【効果】
本発明の巻尺の衝撃緩衝装置は以上のように、衝突エネルギーを部材（緩衝部材）の曲がり変形によって緩和させるので、その構造は極めて簡単なものであり、また、衝突エネルギーも十分に緩和（吸収）することができる。
さらには、衝突エネルギーと緩衝部材の緩衝力との調整においても、緩衝部材の肉厚等を変えることによって容易に調整することができる。
【００２７】
そして、受止部材と第１緩衝部材とから構成される衝撃緩衝装置は衝突エネルギーが弱い巻尺に用いることができ、また、受止部材と第１緩衝部材と第２緩衝部材とから構成される衝撃緩衝装置は衝突エネルギーが強い巻尺に用いることができる。従って、衝突エネルギーの強弱が異なる巻尺に使用する場合でも、従来のように、その巻尺専用に衝撃緩衝装置を構成することなく、衝撃緩衝装置の基本構造を兼用することができ、経済的にもまた製造的にも優れるものである。
【図面の簡単な説明】
【図１】  本発明に係わる衝撃緩衝装置の斜視図
【図２】  図１の衝撃緩衝装置の平面図
【図３】  ブリッジ中央部を幅広にした衝撃緩衝装置の斜視図
【図４】  第２緩衝部材が設けられた衝撃緩衝装置の斜視図
【図５】  図４の衝撃緩衝装置の平面図
【図６】  他の形態の第２緩衝部材が設けられた衝撃緩衝装置の斜視図
【図７】  他の形態の第２緩衝部材が設けられた衝撃緩衝装置の斜視図
【図８】  ケースに装着された衝撃緩衝装置の側面図
【図９】  ケースに装着された衝撃緩衝装置の平面図
【図１０】  衝撃緩衝装置の緩衝作動状態を示す平面図
【符号の説明】
１−衝撃緩衝装置，２−受止部材，２１−湾曲部，３−第１緩衝部材，３１−脚部，３２−ブリッジ部，３３−幅広部，４−連結部材，５−第２緩衝部材，５１−突起部，６−巻尺，６１−ケース，６２−回転ドラム，６３−テープ，６４−巻き取りバネ，６５−軸，６６−係止片，６７−テープ出入口，６８−係止部，６９−係止部
【図１】
0003917876.tif 000002
【図２】
0003917876.tif 000003
【図３】
0003917876.tif 000004
【図４】
0003917876.tif 000005
【図５】
0003917876.tif 000006
【図６】
0003917876.tif 000007
【図７】
0003917876.tif 000008
【図８】
0003917876.tif 000009
【図９】
0003917876.tif 000010
【図１０】
0003917876.tif 000011